(57)【要約】【課題】  電話交換機と通信端末とが異なる地域に設置される場合に、当該通信端末に正しい時刻を表示可能な電話交換システムを提供する。【解決手段】  予め記憶部１４に、端末が設置された地域の時刻と、計時部１５が刻むマスタ時刻との時差に関する情報である時差情報１４ａを記憶しておく。この時差情報１４ａと、計時部１５が刻むマスタ時刻とから、それぞれの端末の現地時刻を算出する。これを通信部１２から送出することにより、端末の表示部に正しい時刻を表示させることを可能とする。【選択図】      図２
2006211167.tif 000002
【特許請求の範囲】
【請求項１】
所定の地域に設置された通信端末にネットワークを介して接続される電話交換機において、
基準時刻を取得する基準時刻取得手段と、
前記所定の地域の標準時刻である現地標準時刻と前記基準時刻取得手段により取得される前記基準時刻との時間差異に関する時差情報を記憶する記憶手段と、
前記基準時刻取得手段により得られる前記基準時刻及び前記記憶手段に記憶された前記時差情報に基づいて、前記所定の地域の時刻である現地時刻を算出する現地時刻算出手段と、
前記現地時刻算出手段により算出される前記現地時刻を前記通信端末に送信する通信手段と
を備えることを特徴とする電話交換機。
【請求項２】
前記時差情報は、前記現地時刻が前記現地標準時刻から変動する変動期間に関する情報を含むこと
を特徴とする請求項１記載の電話交換機。
【請求項３】
請求項１記載の電話交換機において、
前記通信端末の画面に前記現地時刻を表示させるための表示画面情報を作成する画面制御手段をさらに備え、
前記通信手段は、前記表示画面情報を前記通信端末に送信すること
を特徴とする電話交換機。
【請求項４】
前記基準時刻は、前記通信端末から設定すること
を特徴とする請求項１記載の電話交換機。
【請求項５】
前記基準時刻は、前記電話交換機に接続された保守端末から設定すること
を特徴とする請求項１記載の電話交換機。
【請求項６】
所定の地域に設置された通信端末にネットワークを介して接続される電話交換機において、
基準時刻を取得する基準時刻取得手段と、
前記所定の地域の標準時刻である現地標準時刻と前記基準時刻取得手段により取得される前記基準時刻との時間差異に関する時差情報を記憶する記憶手段と、
前記基準時刻取得手段により得られる前記基準時刻、及び前記記憶手段に記憶された前記時差情報より得られる前記時間差異を前記通信端末に送信する通信手段と
を備えることを特徴とする電話交換機。
【請求項７】
前記時差情報は、前記現地時刻が前記現地標準時刻から変動する変動期間に関する情報を含むこと
を特徴とする請求項６記載の電話交換機。
【請求項８】
前記通信手段は、複数の通信端末に接続され、
前記記憶手段は、前記複数の通信端末の各々に対する前記時差情報を記憶すること
を特徴とする請求項１乃至７記載の電話交換機。
【請求項９】
基準時刻を送信する電話交換機にネットワークを介して接続され、所定の地域に設置された通信端末において、
前記基準時刻を前記電話交換機から受信する受信手段と、
前記基準時刻と前記所定の地域の標準時間である現地標準時刻との時間差異を記憶する記憶手段と、
前記受信手段により取得される前記基準時刻及び前記記憶手段に記憶された前記時間差異に基づいて、前記所定の地域における時刻である現地時刻を算出する時刻算出手段と
を備えることを特徴とする通信端末。
【発明の詳細な説明】
【技術分野】
【０００１】
本発明は、時刻情報を通知する電話交換機、及び電話交換機から受信する時刻情報に基づいて時刻を表示する通信端末に関する。
【背景技術】
【０００２】
近年、電話交換システムは様々なサービス機能を有している。中でも、時間・時刻に関するサービスは多様化しており、モーニングコールに代表されるような指定時刻呼び出し機能や、表示装置つき内線通信端末への現在時刻表示機能等がある（例えば、特許文献１参照）。
【０００３】
一方、近年、例えばＩＰ（Ｉｎｔｅｒｎｅｔ  Ｐｒｏｔｏｃｏｌ）通信を用いた電話システムでは、その通信制御方法から設置するロケーションの自由度が高く、電話交換機と電話通信端末とを設置する国がそれぞれ異なることもある。
【０００４】
【特許文献１】特開平１１−２０５８３３号公報
【発明の開示】
【発明が解決しようとする課題】
【０００５】
しかしながら、電話交換機と電話端末との設置されている地域が違う場合には、電話交換機の時刻情報を基準とすると、時差があるために電話端末に正確な時刻情報が表示できないという問題が生じることとなる。また、特許文献１記載の電話交換システムでは、電話をかける相手の電話端末の現地時刻を表示させることはできるが、電話交換機と電話端末とが異なる地域に設置されている場合については考慮されていない。
【０００６】
そこで本発明は、電話交換機と通信端末とが異なる地域に設置される場合に、当該通信端末に正しい時刻を表示可能な電話交換システムを提供することを目的とする。
【課題を解決するための手段】
【０００７】
上記目的を達成するために、請求項１記載の電話交換機は、所定の地域に設置された通信端末にネットワークを介して接続される電話交換機において、基準時刻を取得する基準時刻取得手段と、前記所定の地域の標準時刻である現地標準時刻と前記基準時刻取得手段により取得される前記基準時刻との時間差異に関する時差情報を記憶する記憶手段と、前記基準時刻取得手段により得られる前記基準時刻及び前記記憶手段に記憶された前記時差情報に基づいて、前記所定の地域の時刻である現地時刻を算出する現地時刻算出手段と、前記現地時刻算出手段により算出される前記現地時刻を前記通信端末に送信する通信手段とを備えることを特徴とする。
【０００８】
請求項６記載の電話交換機は、所定の地域に設置された通信端末にネットワークを介して接続される電話交換機において、基準時刻を取得する基準時刻取得手段と、前記所定の地域の標準時刻である現地標準時刻と前記基準時刻取得手段により取得される前記基準時刻との時間差異に関する時差情報を記憶する記憶手段と、前記基準時刻取得手段により得られる前記基準時刻、及び前記記憶手段に記憶された前記時差情報より得られる前記時間差異を前記通信端末に送信する通信手段とを備えることを特徴とする。
【０００９】
請求項９記載の通信端末は、基準時刻を送信する電話交換機にネットワークを介して接続され、所定の地域に設置された通信端末において、前記基準時刻を前記電話交換機から受信する受信手段と、前記基準時刻と前記所定の地域の標準時間である現地標準時刻との時間差異を記憶する記憶手段と、前記受信手段により取得される前記基準時刻及び前記記憶手段に記憶された前記時間差異に基づいて、前記所定の地域における時刻である現地時刻を算出する時刻算出手段とを備えることを特徴とする。
【発明の効果】
【００１０】
本発明によれば、電話交換機と通信端末とが異なる地域に設置される場合に、当該通信端末に正しい時刻を表示可能な電話交換システムを提供することができる。
【発明を実施するための最良の形態】
【００１１】
以下、本発明の電話交換機及び通信端末について、図面を参照しながら説明する。
【実施例１】
【００１２】
図１は、本発明の第１の実施例である電話交換機及び電話端末（通信端末）を含む電話交換システムの構成例を示す図である。電話交換システム１は、エリアＡに設置された電話交換機１０と、電話交換機１０にＬＡＮ２０を介して接続されるＩＰ電話端末である電話端末３０１乃至３０ｎと、電話交換機１０にインターネット２１を介して接続され、エリアＢに設置される電話端末４０１乃至４０ｎとから構成される。電話交換機１０は、電話端末３０１乃至３０ｎ、４０１乃至４０ｎが通話する際に、電話交換処理を行う。また、電話端末４０１は、表示部４１１を有しており、電話交換機１０は、電話端末４０１の持つ表示部４１１に対する制御も行っている。尚、エリアＡ及びエリアＢでは、共に４月の第１日曜日から１０月の最終土曜日まで夏時間に移行し、標準時間から１時間早まるものとする。以下、電話交換機１０の電話端末４０１に対する制御を例に説明を行う。
【００１３】
図２は、電話交換機１０の構成を示す図である。電話交換機１０は、電話端末４０１に対する通話処理を行い、また電話交換機１０全体の動作を統括制御する呼処理制御部１１と、電話端末４０１と通信する通信部１２（通信手段）と、電話端末４０１からの入力に従って時差情報を取得する情報分析部１３と、時差情報及び夏時間の適用のある期間（４月の第１日曜日から１０月の最終土曜日まで）に関する期間情報を記憶する記憶部１４（記憶手段）と、マスタ時刻を取得するための計時部１５（基準時刻取得手段）と、エリアＢにおける時刻（現地時刻）を算出する時刻算出部１６（現地時刻算出手段）と、電話端末４０１の表示画面４１１を制御するための画面制御部１７（画面制御手段）とから構成される。
【００１４】
呼処理制御部１１は、電話端末４０１が通話するための呼び出し等の電話交換処理を行う。またこれと共に、電話交換機１０全体に対する、即ち通信部１２、情報分析部１３、記憶部１４、計時部１５、時刻算出部１６、及び画面制御部１７に対する制御を行う。
【００１５】
通信部１２は、電話端末４０１と通信を行うためのインタフェースである。一般の通話に係るデータのみならず、画面制御部１７が作成する表示画面も、通信部１２を介して電話端末４０１に送信される。
【００１６】
情報分析部１３は、電話端末４０１からの入力に従い、時差情報１４ａを作成する。電話端末４０１からは、例えば電話端末４０１の設置されたエリアＢの現地時刻、若しくはエリアＡとエリアＢとの時差が入力される。
【００１７】
図３は、時差情報１４ａの例である。図３に示すように、時差情報１４ａは、それぞれの電話端末の端末ＩＤ、及びその電話端末に対して設定された時差が記されている。図３の例では、端末ＩＤとしてＩＤ３０１及びＩＤ３０ｎを持つ電話端末には、時差が０時間と設定され、端末ＩＤとしてＩＤ４０１を持つ電話端末の時差は、−１時間と設定されている。以下の説明では、電話端末４０１の端末ＩＤをＩＤ４０１とし、エリアＢはエリアＡに対して−１時間の時差を持つものとする。
【００１８】
尚、この時差は＋２４時間からー２４時間まで３０分単位で設定することができる。情報分析部１３は、入力された時差が１５分単位で丸め、この時差を３０分単位として時差情報１４ａを作成する。例えば、３５分の時差が電話端末４０１から入力された場合には３０分に、４８分の時差が電話端末４０１から入力された場合には１時間として時差を設定する。
【００１９】
記憶部１４は、時差情報１４ａ及び夏時間情報１４ｂを記憶する、ＨＤＤ（Ｈａｒｄ  Ｄｉｓｋ  Ｄｒｉｖｅ）やフラッシュメモリ等の不揮発性の記憶媒体である。ここで、時差情報１４ａは、情報分析部１３により作成される電話端末毎に設定された時差の情報であり、夏時間情報１４ｂは、夏時間の適用される期間に関する情報である。ここでは、「４月第１日曜日〜１０月最終土曜日」が夏時間情報１４ｂに設定される。
【００２０】
計時部１５は、例えばＲＴＣ（Ｒｅａｌ  Ｔｉｍｅ  Ｃｌｏｃｋ）等の計時専用のチップから日付を含む時刻情報を取得し、マスタ時刻（基準時刻）を刻む。尚、計時部１５は、夏時間情報１４ｂの期間内（即ち、４月第１日曜日乃至１０月最終土曜日）であれば、時刻を−１時間ずらす。尚、この時刻は電話端末３０１乃至３０ｎ、４０１乃至４０ｎから入力及び変更できるようにしても良い。この場合には、端末３０１乃至３０ｎ、４０１乃至４０ｎから入力される時刻を、計時部１５が刻むマスタ時刻とする。
【００２１】
時刻算出部１６は、計時部１５から得られるマスタ時刻と、記憶部１４に記憶された時差情報１４ａから、電話端末４０１の設置されたエリアＢの現地時刻を算出する。
【００２２】
画面制御部１７は、時刻算出部１６で算出されたエリアＢの時刻に基づいて、電話端末４０１の表示部４１１に対する制御を行う。図４は、画面制御部１７が作成し、電話端末４０１の表示部４１１に表示させる表示画面（表示画面情報）の例である。この表示画面では、時刻算出部１６が算出したエリアＢの時刻である２００５年８月１４日の１４時５５分が表示されており、この表示画面は、画面制御部１７が作成し、電話端末４０１にこれを送信することで、表示部４１１に表示させる。画面制御部１７は１分毎にこのような画面を作成してこれを通信部１２から送信すれば、電話端末４０１の表示部４１１に常に正しい時刻を表示させることができる。
【００２３】
次に、電話端末４０１の表示部４１１に時刻を表示させる際の、電話交換機１０の処理について説明する。図５は、電話端末４０１の表示部４１１に時刻を表示させる際の、電話交換機１０の処理の流れを示すフローチャートである。
【００２４】
まず、時刻算出部１６は、記憶部１４から時差情報１４ａを読み込む（ステップ５１）。時刻算出部１６は、時差情報１４ａを読み込むことにより、ＩＤ４０１を持つ電話端末４０１の設置された地域がエリアＢとの時差が−１時間であることがわかる。
【００２５】
次に、時刻算出部１６は、時差情報１４ａ及び計時部１５から、エリアＢの現地時刻を算出する（ステップ５２）。例えば、計時部１５から得られる時刻が２００５年８月１４日１５時５５分であれば、エリアＢとの時差は−１時間であることが時差情報１４ａからわかるので、エリアＢの現地時刻は、２００５年８月１４日１４時５５分となる。尚、先述の通り夏時間の期間中は、計時部１５の時間が予め−１時間となっているので、算出した時刻は、夏時間にも対応した時刻となる。
【００２６】
このようにして電話端末４０１の設置された地域、即ちエリアＢの現地時刻を算出した後、画面制御部１７は、電話端末４０１の表示部４１１に表示させる、図４のような表示画面を作成する（ステップ５３）。さらに、作成した画面を、通信部１２から電話端末４０１に対して送出し、電話端末４０１の表示部４１１に表示させる（ステップ５４）。
【００２７】
このようにして、電話端末４０１の表示部４１１に現地時刻を表示させた後、呼処理制御部１１は、計時部１５を参照して経過時間を計測する。前回送信から１分経過していなければ（ステップ５５のＮｏ）１分経過するまで待ち１分経過すれば（ステップ５５のＹｅｓ）、ステップ５１に戻る。
【００２８】
以上説明したように、本実施例によれば、時差情報１４ａを記憶部１４に記憶しておき、電話交換機１０はこれに基づいて通信部１２から電話端末４０１に向けて４０１に送信することで、電話端末４０１の表示部４１１上に正しい現地時刻を表示させることができる。
【００２９】
さらに、本実施例によれば、画面制御部１７で表示画面を作成し、これを表示部４１１に表示させるようにしているので、電話端末４０１の処理能力が低くとも、現地時刻を表示させることが可能となる。
【００３０】
また、本実施例によれば、マスタ時刻を電話交換機１０の持つ計時部１５の示す時刻としている為、システム全体としての時刻のずれを発生させずに済む。これにより、例えばエラーが発生した時等のログ解析や、課金等をするのが容易となる。
【００３１】
夏時間情報１４ｂを記憶部１４に記憶しておき、計時部１５は、夏時間適用期間中はマスタ時刻をこれに伴ってずらすため、夏時刻にも対応することが可能である。
尚本実施例では、表示画面を画面制御部１７で作成して通信部１２から送信しているが、通信部１２からは現地時刻のみを送信し、電話端末４０１側で、図４のような表示画面を作成するようにしてもよい。この場合、画面制御部１７は必ずしも必要ない。
【００３２】
本実施例では、時差情報は端末４０１から入力しているが、他に操作部を設け、ここから入力できるようにしてもよいし、図６に示すようにネットワーク（ＬＡＮ２０若しくはインターネット２１）上に保守端末６１を設け、ここから入力できるようにしてもよい。
【００３３】
また、図６のようにネットワーク上に保守端末６１を設ける場合には、ここからマスタ時刻を電話交換機１０に対して入力できるようにしても良い。この場合、電話交換機１０は保守端末６１から入力された時刻を計時部１５が刻む時刻とする。
【実施例２】
【００３４】
次に、本発明の第２の実施例である電話交換機について説明する。第２の実施例にかかる電話交換機１０及び電話端末３０１乃至３０ｎ、４０１乃至４０ｎ（通信手段）を含む電話交換システム１は、第１の実施例と同様になるので、構成の詳細は省略する。しかしながら、第１の実施例では、エリアＡ及びエリアＢともに同一期間に対して夏時間の適用があったが、第２の実施例では、エリアＡでは夏時間の適用が無く、夏時間の適用があるのはエリアＢだけであり、その期間は４月の第１日曜日から１０月の最終土曜日までとする。以下、電話交換機１０の電話端末４０１に対する制御を例に説明を行う。
【００３５】
図７は、電話交換機１０の構成を示す図である。電話交換機１０は、電話端末４０１に対して通話処理を行い、又、電話交換機１０全体の動作を統括制御する呼処理制御部１１と、電話端末４０１と通信する通信部１２と、電話端末４０１からの入力に従って端末情報１４ｃを作成する情報分析部１３と、電話端末４０１の属する地域に関する端末情報１４ｃ、及びそれぞれの地域に関する時差及び夏時間に関する情報を含む地域情報１４ｄ（時差情報）を記憶する記憶部１４と、マスタ時刻を取得するための計時部１５（基準時刻取得手段）と、エリアＢにおける時刻を算出する時刻算出部１６と、電話端末４０１の表示画面４１１を制御するための画面制御部１７（画面制御手段）とから構成される。尚、呼処理制御部１１、通信部１２、画面制御部１７については、第１の実施例とほぼ同様であるので、説明を省略する。
【００３６】
情報分析部１３は、電話端末４０１からの入力に従い、端末情報１４ｃを作成する。電話端末４０１からは、電話端末４０１の属する地域を指定する（本実施例ではエリアＢ）。情報分析部１３は、この入力と、電話端末４０１のＩＤとを対応付けた端末情報１４ｃを作成する。図８は、端末情報１４ｃの例である。図８の例では、それぞれの電話端末の端末ＩＤ、及びそれぞれの電話端末の属する地域が設定されている。図８の例では、端末ＩＤとしてＩＤ３０１及びＩＤ３０ｎを持つ電話端末はエリアＡに、端末ＩＤとしてＩＤ４０１を持つ端末がエリアＢに設置されている。以下の説明では、電話端末４０１の端末ＩＤをＩＤ４０１とする。
【００３７】
情報分析部１３によって作成された端末情報１４ｃは、記憶部１４に記憶される。また、記憶部１４はこれとともに、それぞれの地域における時差、及び夏時間の有無について記された地域情報１４ｄが記録されている。尚、記憶部１４は、ＨＤＤやフラッシュメモリ等の不揮発性の記憶媒体である。
【００３８】
図９は、記憶部１４が記憶する地域情報１４ｄの例である。図９の例では、エリアＡには計時部１５の刻むマスタ時刻との間に時差は無く、また、夏時間が無いことがわかる。エリアＢでは、計時部１５の刻むマスタ時刻との間に−１６時間の時差があること、さらに、夏時間の適用があり、その期間は４月の第１日曜日乃至１０月最終土曜日であることが記されている。
【００３９】
再び図７の説明に戻ると、計時部１５は、例えばＲＴＣ等の計時専用のチップから日付を含む時刻情報を取得し、マスタ時刻（基準時刻）を刻む。
時刻算出部１６は、計時部１５から得られるマスタ時刻と、記憶部１４に記憶された端末情報１４ｃ、地域情報１４ｄから、電話端末４０１の設置されたエリアＢの現地時刻を算出する。
【００４０】
次に、電話端末４０１の表示部４１１に時刻を表示させる際の、電話交換機１０の処理について説明する。図１０は、電話端末４０１の表示部４１１に時刻を表示させる際の、電話交換機１０の処理の流れを示すフローチャートである。
【００４１】
まず、時刻算出部１６は、記憶部１４から、端末情報１４ａ及び地域情報１４ｂを読み込む（ステップ９１）。時刻算出部１６は、端末情報１４ａを読み込むことにより、ＩＤ４０１を持つ電話端末４０１の設置された地域がエリアＢであることがわかる。さらに、地域情報１４ｂを読み込むことにより、エリアＢと計時部１５の刻むマスタ時刻との時差が−１６時間であることがわかる。
【００４２】
次に時刻算出部１６は、電話端末４０１の設置された地域に夏時間があるか否かについて判断する（ステップ９２）。これは、地域情報１４ｂを参照することによりわかる。エリアＢで夏時間の適用があれば（ステップ９２のＹｅｓ）、時刻算出部１６は夏時間の適用期間か否かについて判断する。地域情報１４ｂを参照することにより、エリアＢでの夏時間の適用期間が４月の第１日曜日乃至１０月最終土曜日であることがわかる。
【００４３】
夏時間の適用期間であれば（ステップ９３のＹｅｓ）、夏時間を考慮して現地時間を作成する。例えば計時部１５で刻むマスタ時刻が２００５年８月１５日の５時５５分であれば、時差が−１６時間であり、夏時間の適用期間中であるため、２００５年８月１４日１４時５５分となる。
【００４４】
電話端末４０１の設置された地域に夏時間が無い場合（ステップ９２のＮｏ）、若しくは夏時間の適用期間中で無い場合（ステップ９３のＮｏ）には、時刻算出部１６は、夏時間を考慮せずに現地時刻を算出する（ステップ９５）。
【００４５】
このようにして電話端末４０１の設置された地域、即ち、エリアＢの現地時刻を算出した後、画面制御部１７は、電話端末４０１の表示部４１１に表示させる、図４のような表示画面を作成する（ステップ９６）。さらに、作成した画面を、通信部１２から電話端末４０１に向けて送出し、電話端末４０１の表示部４１１に表示させる（ステップ９７）。
【００４６】
電話端末４０１に向けて表示画面を送出した後、呼処理制御部１１は、計時部１５を参照して経過時間を計測する。前回送信から１分経過していなければ（ステップ９８のＮｏ）１分経過するまで待ち１分経過すれば（ステップ９８のＹｅｓ）ステップ９１に戻る。
【００４７】
本実施例によれば、第１の実施例同様、電話端末４０１の表示部４１１に正しい時刻を表示させることができる。
さらに、本実施例では、時間算出部４６が現地時刻を算出する際に、夏時間について計算を行っているため、エリアＡで夏時間の適用が無い場合、若しくはエリアＡとエリアＢで夏時間の適用期間が異なる場合等にも対応することができる。
【実施例３】
【００４８】
本発明の第３の実施例である電話端末について説明する。第３の実施例にかかる電話交換機１０及び電話端末４０ｎを含む電話交換システム１は、第１の実施例と同様になるため、構成の詳細は省略する。しかしながら、第３の実施例では、電話交換機１０は電話端末４０１の設置されたエリアＢの現地時刻ではなく、マスタ時刻を電話端末４０１に対して送出する。尚、このマスタ時刻は、夏時間期間中は−１時間時刻が変動するものとする。また、エリアＡ及びエリアＢは同じ期間夏時間に移行し、当該期間中には標準時間から１時間早まるものとする。以下、電話端末４０１を例に説明を行う。
【００４９】
図１１は、電話端末４０１の構成を示す図である。電話端末４０１は、電話交換機１０に対して通話処理を行い、又、電話端末４０１の動作を統括制御する制御部４２と、電話交換機１０と通信する通信部４３（受信手段）と、通話にかかる番号の入力等を行うための操作部４４と、時差情報４５ａを記憶する記憶部４５（記憶手段）と、通信部４３から受信するマスタ時刻及び記憶部４５に記憶した時差情報から時刻を算出する時刻算出部４６（時刻算出手段）と、時刻を表示する表示部４１１と、表示部４１１を制御する表示制御部４７とから構成される。
【００５０】
通信部４３は、電話交換機１０と通信を行うためのインタフェースである。一般の通話にかかるデータのみならず、マスタ時刻も、通信部４３を介して電話交換機１０から受信する。
【００５１】
記憶部４５は、時差情報４５ａを記憶する、ＨＤＤやフラッシュメモリ等の不揮発性の記憶媒体である。ここで時差情報４５ａは、電話交換機１０から受信するマスタ時刻に対する時差、即ちエリアＢとエリアＡとの時差である。この時差情報４５ａの時差は、＋２４時間からー２４時間まで３０分単位で設定することができる。
【００５２】
時刻算出部４６は、通信部４３から得られるマスタ時刻と、記憶部４５に記憶された時差情報４５ａから、電話端末４０１の設置されたエリアＢの現地時刻を算出する。
【００５３】
画面制御部４７は、時刻算出部４６が算出されたエリアＢの時刻に基づいて、表示部４１１に時刻を表示させる。ここで作成する画面は、図４のような画面である。
表示部４１１は、ＬＥＤ（Ｌｉｑｕｉｄ  Ｃｒｙｓｔａｌ  Ｄｉｓｐｌａｙ）等による表示画面であり、画面制御部４７で作成された現地時刻を示す画面を表示する。
【００５４】
次に、表示部４１１に時刻を表示させる際の、電話端末４０１の処理について説明する。図１２は、表示部４１１に時刻を表示させる際の、電話端末４０１の処理の流れを示すフローチャートである。
【００５５】
まず、通信部４３は、電話交換機１０からマスタ時刻を受信する（ステップ１１１）。ここで受信するマスタ時刻は、先述の通り、夏時間の適用期間中は−１時間時刻が変動する。受信したマスタ時刻は、時刻算出部４６へ送出する。
【００５６】
次に、時刻算出部４６は、時差情報４５ａを読み込み（ステップ１１２）、ここで読み込んだ時差情報４５ａ及び通信部４３から受信したマスタ時刻に従い、時刻を算出する（ステップ１１３）。例えば、通信部４３で受信したマスタ時刻が２００５年８月１４日１５時５５分であり、時差情報４５ａで示される時差が−１時間であれば、時刻算出部４６が算出する時刻は２００５年８月１４日１４時５５分となる。
【００５７】
表示制御部４７は、表示部４１１に表示させる、図４のような表示画面を作成し、表示部４１１に表示させる（ステップ４１１）。
以上説明したように、本実施例によれば、通信部４３から受信するマスタ時刻に対する時差情報４５ａを記憶部４５に記憶しておくことにより、表示部４１１上に正しい時刻を表示することができる。
【００５８】
さらに、本実施例に拠れば、電話端末４０１の持つ表示制御部４７で図４のような表示画面を作成しているので、表示画面を電話交換機１０で作成する場合と比して、電話交換機１０にかかる負荷を軽減することが可能である。
【図面の簡単な説明】
【００５９】
【図１】本発明の実施例１に係る電話交換機及び電話端末を含む電話交換システムの構成例を示す図。
【図２】本発明の実施例１に係る電話交換機の構成を示す図。
【図３】本発明の実施例１に係る電話交換機の持つ時差情報の例。
【図４】本発明の実施例１に係る電話交換機が電話端末に表示させる表示画面の例。
【図５】本発明の実施例１に係る電話交換機が電話端末に時刻を表示させる際の処理の流れを示すフローチャート。
【図６】本発明の変形例にかかる電話交換機及び電話端末を含む電話交換システムの構成例を示す図。
【図７】本発明の実施例２に係る電話交換機の構成を示す図。
【図８】本発明の実施例２に係る電話交換機の持つ端末情報の例を示す図。
【図９】本発明の実施例２に係る電話交換機の持つ地域情報の例を示す図。
【図１０】本発明の実施例２に係る電話交換機が電話端末に時刻を表示させる際の処理の流れを示すフローチャート。
【図１１】本発明の実施例３に係る電話端末の構成を示す図。
【図１２】本発明の実施例３に係る電話端末が時刻を表示する際の処理の流れを示すフローチャート。
【符号の説明】
【００６０】
１・・・電話交換システム
１０・・・電話交換機
１１・・・呼処理制御部
１２・・・通信部
１３・・・情報分析部
１４・・・記憶部
１４ａ・・・時差情報
１４ｂ・・・夏時間情報
１４ｃ・・・端末情報
１４ｄ・・・地域情報
１５・・・計時部
１６・・・時刻算出部
１７・・・画面制御部
２０・・・ＬＡＮ
２１・・・インターネット
４２・・・制御部
４３・・・通信部
４４・・・操作部
４５・・・記憶部
４６・・・時刻算出部
４７・・・表示制御部
６１・・・保守端末
３０１、３０ｎ、４０１、４０ｎ・・・電話端末
４１１・・・表示部
【図１】
2006211167.tif 000003
【図２】
2006211167.tif 000004
【図３】
2006211167.tif 000005
【図４】
2006211167.tif 000006
【図５】
2006211167.tif 000007
【図６】
2006211167.tif 000008
【図７】
2006211167.tif 000009
【図８】
2006211167.tif 000010
【図９】
2006211167.tif 000011
【図１０】
2006211167.tif 000012
【図１１】
2006211167.tif 000013
【図１２】
2006211167.tif 000014